(57)【要約】【課題】  出力レベル調整装置であって、ＡＣ−３／ＤＴＳのＤＶＤからリニアＰＣＭのＤＶＤへモード切換えしたとき、その切換時に大音量が出力されてしまうことを防止するための、自動出力レベル調整を実現する。【解決手段】  再生メディアがＤＶＤか否かを識別し、再生メディアがＤＶＤであると識別されたとき、その音源が、高音量で再生される第１の録音形態（リニアＰＣＭ）または低音量で再生される第２の録音形態（ＡＣ−３，ＤＴＳ）のいずれの録音形態による音源か、を判別し、第２の録音形態による音源であるとき、再生すべき音量を増大させ、あるいは周波数特性を引き上げる。【選択図】      図２
2005129221.tif 000002
【特許請求の範囲】
【請求項１】
各種再生メディアを再生可能な再生装置における出力レベル調整装置において、
所定の再生メディアが再生されるとき音量を増大し、前記所定の再生メディア以外の再生メディアが再生されるとき音量を維持するとともに、再生メディアが前記所定の再生メディアから前記所定の再生メディア以外の再生メディアに切り換えられたとき再生音量を前記音量増大前の音量に戻す音量可変手段を備えたことを特徴とする出力レベル調整装置。
【請求項２】
各種再生メディアを再生可能な再生装置における出力レベル調整装置において、
所定の再生メディアが再生されるとき音量を増大し、前記所定の再生メディア以外の再生メディアが再生されるとき音量を維持するとともに、前記所定の再生メディアがイジェクトされた場合に再生音量を前記音量増大前の音量に戻す音量可変手段を備えたことを特徴とする出力レベル調整装置。
【請求項３】
前記所定の再生メディアがＤＶＤであることを特徴とする請求項１又は２に記載の出力レベル調整装置。
【請求項４】
音量を調整可能な音量調整手段を有し、
前記音量可変手段は、前記再生音量を音量増大前の音量に戻す場合、前記音量調整手段により調整された調整量を反映させた音量に戻すことを特徴とする請求項１〜３のいずれか一項に記載の出力レベル調整装置。
【発明の詳細な説明】
【技術分野】
【０００１】
本発明は、出力レベル調整装置、例えば車載用として好適なオーディオ再生装置における出力レベル調整装置に関する。
【背景技術】
【０００２】
オーディオ再生装置の音源としては、従前の一般放送波やカセットテープ等のメディアから、近年のＣＤ，ＭＤおよびＤＶＤ等のディスクを媒体とするメディアまで、多種に及ぶ。これらのうち、本発明は主として後者のディスクを媒体とするメディアについて述べる。
【０００３】
ディスクを媒体とする音源について見てみると、通常、そのディスクの種類毎に音源の録音形態が異なっている。例えば上記のＣＤ／ＭＤと、ＤＶＤとでは、相互に録音形態が異なる。
【０００４】
ＤＶＤにあってはそれ自身でさらに異なった録音形態がある。代表例としては、次の３種の録音形態、すなわち
＜１＞  リニアＰＣＭ
＜２＞  ＡＣ−３（Ａｕｄｉｏ  Ｃｏｄｅ  Ｎｕｍｂｅｒ  ３）
＜３＞  ＤＴＳ（Ｄｉｇｉｔａｌ  Ｔｈｅａｔｅｒ  Ｓｙｓｔｅｍｓ）がある。
【０００５】
上記３種の録音形態をさらに詳しく見てみると、＜１＞のリニアＰＣＭでの録音は、比較的高い再生音量を生じさせる。一方、＜２＞および＜３＞のＡＣ−３／ＤＴＳでは、広いダイナミックレンジを確保すべく、全体的に低い再生音量を生じさせるように録音されている。
【発明の開示】
【発明が解決しようとする課題】
【０００６】
かくしてＤＶＤからの音楽や音声をユーザが聴取しようとする場合、その音源が、リニアＰＣＭであるか、またはＡＣ−３／ＤＴＳ等のリニアＰＣＭ以外のものであるか、によって再生音の出力レベルは、一般に、前者では高くなり後者では低くなる。
【０００７】
加えて、ＡＣ−３／ＤＴＳ等はもともとセンタースピーカを含む６台のスピーカにより再生することを前提としていることから、一般にセンタースピーカを配置する場合が少ない例えば車載用のオーディオ装置にあっては、なおさら出力レベルは低くなってしまう。
【０００８】
このことから、ユーザが、ＡＣ−３／ＤＴＳ等のリニアＰＣＭ以外のものを音源とするＤＶＤからの再生音を聴取し終えて、次に、リニアＰＣＭを音源とするＤＶＤあるいはＣＤ／ＭＤにモード切換えをしたような場合、スピーカから大音量の再生音が出力されてしまう。この結果、ユーザはモード切換え時の突然の大音量に驚かされる、という問題がある。
【０００９】
このとき当然ユーザはあわててボリュームを絞りこむことになる。
【００１０】
したがって本発明は、メディアとして少なくともＤＶＤを再生するオーディオ再生装置において、音源の録音形態の違いに起因して、メディアまたは音源のモード切換え時に生ずる出力レベルの大きな変動を、自動的に抑制することのできる出力レベル調整装置を提供することを目的とするものである。
【課題を解決するための手段】
【００１１】
図１は本発明に係る出力レベル調整動作の基本ステップを示すフローチャートである。
【００１２】
本発明の出力レベル調整方法は、再生メディアとして少なくともＤＶＤ（Ｄｉｇｉｔａｌ  Ｖｅｒｓａｔｉｌｅ  Ｄｉｓｃ）をセット可能なオーディオ再生装置に適用するものであり、図示する３つのステップＳ１１，Ｓ１２およびＳ１３を含む。これらのステップの内容は次のとおりである。
【００１３】
ステップＳ１１：セットされた再生メディアがＤＶＤか否かを識別する。
【００１４】
ステップＳ１２：セットされた再生メディアがＤＶＤであると識別されたとき、そのＤＶＤの音源が、高音量で再生される第１の録音形態または低音量で再生される第２の録音形態のいずれの録音形態による音源か、を判別する。
【００１５】
ステップＳ１３：音源が第２の録音形態による音源であるとき、再生すべき音量を増大（ＵＰ）させる。
【００１６】
上記の第１の録音形態は、既述の例によればリニアＰＣＭでありまた既述の例におけるＣＤ／ＭＤ等のＤＶＤ以外の再生メディアによる録音形態であり、上記の第２の録音形態は、既述の例によればＡＣ−３またはＤＴＳである。ただし、これらに限定するものではない。
【００１７】
尚、上記の例では録音形態として２種類としているが、３種類以上の録音形態でも対応可能で、その場合には録音形態を検出し、検出した録音形態に対応した音量調整を行う。
【００１８】
具体的には、録音形態に対応づけて音量調整データが記憶されており、検出した録音形態に対応した音量調整データを読み出し音量調整を行う。
【００１９】
また、上記の例では再生メディアをＤＶＤをしているが、ＤＶＤ以外の再生メディアでも対応可能で、ＣＤなど他の再生メディアとしても良い。
【００２０】
かくして、上記のステップＳ１１〜Ｓ１３を、オーディオ装置内で自動的に行わせることにより、音源が第２の録音形態すなわち例えばＡＣ−３やＤＴＳのように、低音量で再生されるメディアの場合のみ選択的に音量を上げることができ、したがって第１の録音形態すなわち例えばリニアＰＣＭやもしあるとすればＭＰＥＧ２のように、高音量で再生されるメディアの場合は音量を上げずにしておくことができる。
【００２１】
その結果として、音源が第２の録音形態から第１の録音形態にモード切換えされたときに、ユーザがそのときの突然の大音量に驚く、といった既述の問題点が解決される。また、突然の大音量に驚いてあわててユーザがマニュアルでボリュームを絞りこむといった操作から解放される。
【発明の効果】
【００２２】
後述するように本発明によれば、各種メディアがセットされるオーディオ再生装置において、各メディアに記録された音源の記録形態に応じて変動する出力レベルを、自動的に調整することができる。
【００２３】
この結果、例えば、ＡＣ−３やＤＴＳを音源とするＤＶＤから、リニアＰＣＭを音源とするＤＶＤあるいはＣＤ／ＭＤへモード切換えしたとき、そのモード切換え時に生ずる突然の大音量にユーザが驚かされる、といった事態の発生をなくすことができる。
【発明を実施するための最良の形態】
【００２４】
図２は本発明に係る第１の実施形態を示すフローチャートである。
【００２５】
本図のフローチャートは、第１の録音形態をリニアＰＣＭに特定し、第２の録音形態をＡＣ−３やＤＴＳに特定して示すものである。（なお、以降の各図においては、上記の録音形態として、リニアＰＣＭ、ＡＣ−３，ＤＴＳを具体例として記載する。）
したがって図２におけるステップＳ２１，Ｓ２２およびＳ２３は、それぞれ図１におけるステップＳ１１，Ｓ１２およびＳ１３と全く等価である。
【００２６】
図３は本発明に係る第２の実施形態を示すフローチャートである。
【００２７】
図示するとおり、ステップＳ３１およびＳ３２からなり、
再生すべき音量を自動的に増大させるステップＳ３１（図２のＳ２３と同じ）の後に、音源が第２の録音形態（ＡＣ−３／ＤＴＳ等）であるＤＶＤから、それ以外の再生メディア（ＣＤ／ＭＤ等）へまたはその音源が第１の録音形態（リニアＰＣＭ等）であるＤＶＤへ、モード切換えしたとき、
このモード切換え発生前の音量に自動的に戻すステップＳ３２、をさらに有することを特徴とするものである。
【００２８】
この場合、モード切換え発生前の音量を記憶しておく必要があるが、これは電子ＶＯＬ（ボリューム）に内蔵のメモリに記憶しておくことができる（後述）。
【００２９】
かくして第２の実施形態によれば、再び他の再生メディア（ＣＤ／ＭＤ、一般放送波等）に切り換わっても、ユーザがマニュアルで音量を絞りこむ必要がなくなる。
【００３０】
図４は本発明に係る第３の実施形態を示すフローチャートである。
【００３１】
図示するとおり、ステップＳ４１〜Ｓ４３からなり、
再生すべき音量を自動的に増大させるステップＳ４１（図２のＳ２３と同じ）の後に、ユーザがマニュアル（手動）でその音量にさらに微調整を加えるステップＳ４２を有し、
その後、音源が第２の録音形態（ＡＣ−３／ＤＴＳ等）であるＤＶＤから、それ以外の再生メディア（ＣＤ／ＭＤ等）へまたは音源が第１の録音形態（リニアＰＣＭ等）であるＤＶＤへ、モード切換えしたとき、
上記の音量の微調整分を反映させたまま、そのモード切換え発生前の音量に戻すステップＳ４３、を有することを特徴とするものである。
【００３２】
上記ステップＳ４１の状態において、ユーザが自動設定された音量をさらに変更したいと望む状況が考えられる。例えば、当該オーディオ再生装置を搭載する車を運転するユーザは、その車が高速走行に入ったときあるいはトンネル内走行に入ったとき、のような状況下では、そのユーザは上記の自動設定された音量をさらに微調整して音量を上げることを望む。
【００３３】
逆にその車に同乗する子供が眠り込んだような状況では、上記の自動設定された音量をさらに微調整して音量を下げることを望む。
【００３４】
上記のように音量に微調整を加えた後、音源をリニアＰＣＭ等にモード切換えしたとき、再び新たな音量に自動設定されるが、この場合でも、上述した状況が維持されているとすれば、各状況下で上記ステップＳ４２にて加えた上記の音量の微調整は、そのまま新たな自動設定音量のもとでも反映させるのが有利である。そうしないと、ユーザは上記のモード切換え後に再び上記ステップＳ４２と同様の操作をしなければならなくなるからである。
【００３５】
かくして第３の実施形態によれば、再び他の再生メディア（ＣＤ／ＭＤ、一般放送等）に切り換わっても、ユーザの欲する音量を自動的に維持することができる。
【００３６】
図５は本発明に係る第４の実施形態を示すフローチャートである。
【００３７】
図示するとおり、ステップＳ５１およびＳ５２からなり、
再生すべき音量を自動的に増大させるステップＳ５１（図２のＳ２３と同じ）の後に、これまで使用していたＤＶＤがイジェクト（ＥＪＥＣＴ）されたとき、
そのイジェクト発生前の音量に戻すステップＳ５２、をさらに有することを特徴とするものである。
【００３８】
現在聴取中のＤＶＤ（音源がＡＣ−３やＤＴＳ等）がオーディオ再生装置から抜かれたとき、その次に、新たな再生メディアがいつ何時その装置に挿入されるか分からないが、直前のＤＶＤ（ＡＣ−３やＤＴＳ等）とは異なる再生メディア（ＣＤ／ＭＤ、リニアＰＣＭのＤＶＤ等）が挿入される可能性が高い。
【００３９】
そこで、ＡＣ−３やＤＴＳ等のＤＶＤが抜かれたら（ＥＪＥＣＴ）、即座に、元の音量に戻すように自動設定しておくようにする。
【００４０】
かくして第４の実施形態によれば、音源の違うメディア例えばＤＶＤ（リニアＰＣＭ）に、メディア入替えされたとしても、ユーザに初期化操作を強いることなしに、新たなメディアに対応可能となる。
【００４１】
図６は本発明に係る第５の実施形態を示すフローチャートである。
【００４２】
上述の第１〜第４の実施形態は、オーディオ再生装置からの出力レベルの調整ファクタとして、「音量」に着目するものであるが、第５〜第８の実施形態は、その出力レベルの調整ファクタとして、「周波数特性」に着目する。
【００４３】
まず第５の実施形態は、図６に示すとおり、ステップＳ６１〜Ｓ６３からなる。以下のとおりである。
【００４４】
ステップＳ６１：セットされた再生メディアがＤＶＤか否かを識別する（図２のステップＳ２１と同じ）。
【００４５】
ステップＳ６２：セットされた再生メディアがＤＶＤであると識別されたとき、そのＤＶＤの音源が、高音量で再生される第１の録音形態（リニアＰＣＭ等）または低音量で再生される第２の録音形態（ＡＣ−３，ＤＴＳ等）のいずれの録音形態による音源か、を判別する（図２のステップＳ２２と同じ）。
【００４６】
ステップＳ６３：音源が上記の第２の録音形態による音源であるとき、再生すべき出力のセリフ帯域での周波数特性（ｆ特）を引き上げる。
【００４７】
このステップＳ６３が注目すべきステップである。
【００４８】
一般に、周波数特性を引き上げることによっても、既述の「音量増大」と似たような音量感の増大が期待できる。この場合、特にセリフ（台詞）帯域（例えば、３００Hz〜３KHz ）の引き上げが有効である。これは、例えばリニアＰＣＭ音源からＡＣ−３／ＤＴＳ音源に切り換わったときに、ＡＣ−３／ＤＴＳ音源のうちセリフ帯域での音量感の著しい落ち込みが経験されること（会話が聞き難くなる）に基づく。
【００４９】
かくして第５の実施形態によれば、ＡＣ−３やＤＴＳ等の音源のＤＶＤを、他メディアに切り換えたとき、該他メディアとの間のレベル差に対して、ユーザがマニュアルでイコライザ（ＥＱ）の操作をしてセルフ帯域のｆ特をその都度引き上げる、といった煩わしさがなくなる。
【００５０】
図７は本発明に係る第６の実施形態を示すフローチャートである。
【００５１】
図示するとおり、ステップＳ７１およびＳ７２からなり、
再生すべき出力のセリフ帯域での周波数特性を自動的に引き上げるステップＳ７１（図６のＳ６３と同じ）の後に、音源が第２の録音形態（ＡＣ−３／ＤＴＳ等）であるＤＶＤから、それ以外の再生メディア（ＣＤ／ＭＤ等）へまたはその音源が第１の録音形態（リニアＰＣＭ等）であるＤＶＤへ、のモード切換えしたとき、
このモード切換え前の周波数特性（ｆ特）に自動的に戻すステップＳ７２、をさらに有することを特徴とするものである。
【００５２】
かくして第６の実施形態によれば、再び他の再生メディア（ＣＤ／ＭＤ、一般放送等）に切り換わっても、ユーザがマニュアルでイコライザを操作して、セリフ帯域のｆ特を引き下げる必要がなくなる。
【００５３】
図８は本発明に係る第７の実施形態を示すフローチャートである。
【００５４】
図示するとおり、ステップＳ８１〜Ｓ８３からなり、
再生すべき出力のセリフ帯域での周波数特性（ｆ特）を自動的に引き上げるステップＳ８１（図６のＳ６３と同じ）後に、その再生すべき出力の周波数特性に対しユーザがマニュアル（手動）でイコライザ（ＥＱ）によりさらに微調整を加えるステップＳ８２を有し、
その後、音源が前記第２の録音形態（ＡＣ−３／ＤＴＳ等）であるＤＶＤから、それ以外の再生メディアへまたは前記音源が前記第１の録音形態である前記ＤＶＤへ、モード切換えしたとき、
上記周波数特性の微調整分を反映させたまま、そのモード切換え発生前の周波数特性（ｆ特）に戻すステップＳ８３、を有することを特徴とするものである。
【００５５】
この第７の実施形態が有効となる背景は、第３の実施形態（図４）において述べた背景と全く同じであり、当該オーディオ再生装置を搭載する車が高速走行あるいはトンネル走行に入った場合（このときはＥＱ調整のＵＰ）、または車内で子供が寝ている場合（このときはＥＱ調整のｄｏｗｎ）等の状況を考慮したものである。
【００５６】
かくして第７の実施形態によれば、既述の第３の実施形態と同様に、再び他の再生メディア（ＣＤ／ＭＤ、一般放送等）に切り換わっても、ユーザが欲する音量（音質）を自動的に維持することができる。
【００５７】
図９は本発明に係る第８の実施形態を示すフローチャートである。
【００５８】
図示するとおり、ステップＳ９１およびＳ９２からなり、
再生すべき出力のセリフ帯域での周波数特性（ｆ特）を自動的に引き上げるステップＳ９１（図６のＳ６３と同じ）の後に、これまで使用したＤＶＤがイジェクト（ＥＪＥＣＴ）されたとき、
そのイジェクト発生前の周波数特性に戻すステップＳ９２、をさらに有することを特徴とするものである。
【００５９】
この第８の実施形態が有効となる背景は、第４の実施形態（図５）において述べた背景と全く同じであり、現在聴取中のＤＶＤ（音源がＡＣ−３やＤＴＳ等）が引き抜かれたときに、次に挿入されるメディアのために備えをしておく。この新たなメディアは直前のメディア（上記のＡＣ−３やＤＴＳ等）とは異なる、リニアＰＣＭ等のＤＶＤあるいはＣＤ／ＭＤの可能性が高いから、そのときのために予め元のｆ特に戻しておくようにする。
【００６０】
かくして第８の実施形態によれば、メディアの入替えがなされたとしても、ユーザに初期化操作を強いることなしに、新たなメディアに対応できる。
【００６１】
図１０は本発明に係る第９の実施形態を示すフローチャートである。
【００６２】
上述の第１〜第４の実施形態は出力レベルの調整ファクタとして「音量」に着目し、上述の第５〜第８の実施形態は出力レベルの調整ファクタとして「ｆ特」に着目している。さらに以下に説明する第９の実施〜第１１の実施形態は、その出力レベルの調整ファクタとして「音量およびｆ特」に着目する。
【００６３】
まず第９の実施形態は、図１０に示すとおり、ステップＳ１０１〜Ｓ１０３からなる。以下のとおりである。
【００６４】
ステップＳ１０１：セットされた再生メディアがＤＶＤか否かを識別する（図２のステップＳ２１と同じ）。
【００６５】
ステップＳ１０２：セットされた再生メディアがＤＶＤであると識別されたとき、そのＤＶＤの音源が、高音量で再生される第１の録音形態（リニアＰＣＭ等）または低音量で再生される第２の録音形態（ＡＣ−３，ＤＴＳ等）のいずれの録音形態による音源か、を判別する（図２のステップＳ２２と同じ）。
【００６６】
ステップＳ１０３：音源が上記の第２の録音形態による音源であるとき、再生すべき出力のセリフ帯域での周波数特性（ｆ特）を引き上げると共に、再生すべき音量を増大（音量ＵＰ）させる。
【００６７】
このステップＳ１０３が、注目すべきステップである。
【００６８】
このように、ｆ特の自動調整と音量の自動調整との複合によって、本発明の目的を達成することもできる。この場合、その複合のすべき両者の重み付けをどのようにするか、というやや複雑な問題を伴うが、その反面、ユーザの感覚により適合した微妙な調整が期待できる。
【００６９】
この第９の実施形態によれば、音量のヘッドクリアランスが少ないようなオーディオ再生装置において、ｆ特の引き上げ過ぎによる出力歪みの発生を防止することができる。具体的には、次の図１１に示すステップを実行する。
【００７０】
図１１は図１０のステップ中ステップＳ１０３についての好適な実現例を示すフローチャートである。
【００７１】
すなわち図１１は、図１０のステップＳ１０１〜Ｓ１０３のうち、ステップＳ１０３を一層具体的にステップＳ１０４およびＳ１０５として示すものであり、
再生すべき出力のセリフ帯域での周波数特性を引き上げると共に再生すべき音量を増大させるステップＳ１０３において、
オーバーヘッドを生じない程度に周波数特性（ｆ特）を変更すると共にその周波数特性の変更では不足する分だけ音量を増大（音量ＵＰ）させることを特徴とするものである。
【００７２】
オーバーヘッド（飽和）が生じると音質が悪化するので、ｆ特での調整は若干抑え気味にし、それによって不足してくる音量感は、音量のＵＰによって補うのが好ましい。
【００７３】
図１２は本発明に係る第１０の実施形態を示すフローチャートである。
【００７４】
本図に示すとおり、
再生すべき出力のセリフ帯域での周波数特性を引き上げると共に再生すべき音量を増大させるステップＳ１１１（＝Ｓ１０３）の後に、音源が第２の録音形態であるＤＶＤから、それ以外の再生メディアへまたは音源が第１の録音形態であるＤＶＤへ、モード切換えしたとき、
そのモード切換え発生前の音量およびそのモード切換え発生前の周波数特性にそれぞれ戻すステップＳ１１２、をさらに有することを特徴とするものである。
【００７５】
この第１０の実施形態が必要とされる背景とその効果は、既述した第２の実施形態（図３）および第６の実施形態（図７）の場合と同じである。
【００７６】
図１３は本発明に係る第１１の実施形態を示すフローチャートである。
【００７７】
本図に示すとおり、
再生すべき出力のセリフ帯域での周波数特性を引き上げると共に再生すべき音量を増大させるステップＳ１２１（＝Ｓ１０３）の後に、ＤＶＤがイジェクトされたとき、
そのイジェクト発生前の音量およびそのイジェクト発生前の周波数特性にそれぞれ戻すステップＳ１２２、をさらに有することを特徴とするものである。
【００７８】
この第１１の実施形態が必要とされる背景とその効果は、既述した第４の実施形態（図５）および第８の実施形態（図９）の場合と同じである。
【００７９】
以上、本発明の主たる実施形態である、第１〜第４の実施形態と、第５〜第８の実施形態と、第９〜第１１の実施形態と、について説明したので、さらにこれらに追加する補足的な第１２および第１３の実施形態について述べる。
【００８０】
図１４は本発明に係る第１２の実施形態を実例をもって表す図である。
【００８１】
既述の、第１〜第４の実施形態および第９〜第１１の実施形態においては、音量を増大させるステップ（自動音量ＵＰ）を含むが、このステップにおける音量ＵＰ分は、装置任せにするのではなく、ユーザの好みに合せるようにしても良い。
【００８２】
このため第１２の実施形態では、増大させる音量のレベルがユーザ毎に可変であるようにする。
【００８３】
図１４を参照すると、本図は当該オーディオ再生装置に備えられているディスプレイ部の画面を表しており、タッチパネルとなっていてユーザが直接画面に触れることによって所望の設定ができるようになっている。
【００８４】
本図の例では、セットされたＤＶＤがＡＣ−３／ＤＴＳを音源としており、音量の増大量（Ｖｏｌｕｍｅ  Ｕｐ量）が、５dBに設定された場合を示している。
【００８５】
次に、補足的な第１３の実施形態について述べる。
【００８６】
図１５は本発明に係る第１３の実施形態を実例をもって表す図（その１）、
図１６は同図（その２）である。
【００８７】
既述の、第５〜第８の実施形態および第９〜第１１の実施形態においては、ｆ特を調整するステップ（自動ｆ特調整）を含むが、このステップにおけるｆ特調整分は、装置任せにするのではなく、ユーザの好みに合せるようにしても良い。
【００８８】
このため第１３の実施形態では、周波数特性を引き上げるレベルがユーザ毎に可変であるようにする。
【００８９】
図１５を参照すると、本図に示す上記のディスプレイ部の画面においては、ＡＣ−３／ＤＴＳのＤＶＤが当該オーディオ再生装置にセットされていて、与えられた４種のｆ特パターン（１，２，３，４）のうち、第２のｆ特パターンを選択したことを表している。
【００９０】
図１５の例では、ＡＣ−３とＤＴＳとを区別せずに両者共通にｆ特パターンを画面上に与えているが、これらＡＣ−３とＤＴＳとを個別に扱うようにしたのが図１６に示す例である。
【００９１】
図１６の例では、ユーザは、ＡＣ−３として第３のｆ特パターンを選択し、ＤＴＳとして第２のｆ特パターンを選択している。
【００９２】
上述の各実施形態の他に、本発明に基づく変形実施形態について述べておく。
【００９３】
この変形実施形態は、イコライザ（ＥＱ）機能とラウドネス機能とが内蔵されたオーディオ再生装置に適用される。
【００９４】
図１７は本発明に係る変形実施形態を示すフローチャートである。
【００９５】
本図のステップＳ１０１〜Ｓ１０３は、図１０に示したステップＳ１０１〜Ｓ１０３と同様に、
セットされた再生メディアがＤＶＤか否かを識別するステップＳ１０１、
セットされた再生メディアがＤＶＤであると識別されたとき、そのＤＶＤの音源が、高音量で再生される第１の録音形態または低音量で再生される第２の録音形態のいずれの録音形態による音源か、を判別するステップＳ１０２、および
音源が第２の録音形態による音源であるとき、再生すべき出力のセリフ帯域での周波数特性を引き上げるステップＳ１０３、である。
【００９６】
そしてそのあとに、
ステップＳ１３１で、上記の周波数特性の最大変化幅を求め、
ステップＳ１３２で、イコライザ（ＥＱ）のゲインまたはラウドネスのゲインを、その最大変化幅分だけ引き下げる。
【００９７】
そしてさらに、その最大変化幅分だけ引き下げた後に、音源が第２の録音形態であるＤＶＤから、それ以外の再生メディアへまたは音源が第１の録音形態であるＤＶＤへ、モード切換えしたとき、
イコライザ（ＥＱ）のゲインまたはラウドネスのゲインを、上記の最大変化幅分だけ引き下げたまま、そのモード切換え発生前の周波数特性に戻すステップＳ１３４、をさらに有する。
【００９８】
上記の最大変化幅分（例えば図１５における山の高さ）を求めて、その分、イコライザのレベルまたはラウドネスのレベルを全体的に下げる。そしてそれ以降のメディア入れ替え時にも、その下げた分をそのまま有効にする。
【００９９】
ＡＣ−３やＤＴＳ音源のＤＶＤへモード切換えした直後はｆ特変化がないため、出力レベルが上がった感覚が得られないが、他メディアに切り換わっても、ＤＶＤと他メディアとの間の出力レベル差がなくなるため、突然の大音量によってユーザがびっくりすることがなくなる。
【０１００】
上述した各実施態様では、音源の録音形態として異なる２つの録音形態、すなわち第１および第２の録音形態を例にとって説明したが、これに限定することなく、第３、第４・・・の録音形態が存在したとしても、同様に本発明を適用することができる。
【０１０１】
一方、本発明に係る出力レベル調整機能を常に働かせておく必要はなく、ユーザの都合で所望のときだけ該機能をオンとし、それ以外のときはオフとしても良い。
【０１０２】
最後に、上述した本発明に係る出力レベル調整方法を実施可能なオーディオ再生装置の構成例を示す。
【０１０３】
図１８は本発明を実施可能なオーディオ再生装置の構成例を示す図である。
【０１０４】
本図において、参照番号１はオーディオ再生装置の全体を示す。
【０１０５】
本図の左端は音源の入力側を示し、ＤＶＤとＣＤとＭＤとが例示されている。これらＤＶＤ／ＣＤ／ＭＤのいずれか１つが、スイッチ部２により選択される。この選択は、操作部３の中の所定のキーをユーザが押すことにより、制御部４を介して行われる。
【０１０６】
例えばＤＶＤが選択されたとすると、その出力信号はまずデコーダ５に入力される。デコーダ５はその入力された出力信号を復号して、制御データならびに本来の映像データおよび音声データを出力する。
【０１０７】
上記制御データは、制御部４に入力される。このデータには、ＤＶＤ／ＣＤ／ＭＤを区別する情報やリニアＰＣＭ，ＡＣ−３，ＤＴＳ・・・等の種々の制御情報が含まれる。したがって、例えばステップＳ２１（図２）に示す「再生メディアはＤＶＤか？」の判断は、制御部４が上記の制御情報に基づいて行うことができる。また、例えばステップＳ２２（図２）に示す「音源はリニアＰＣＭか？」の判断についても同様である。
【０１０８】
デコーダ５からの出力データのうち、上記映像データはディスプレイ部６に入力され、ここで映像が表示される。
【０１０９】
一方、本発明に特に関係するデコーダ５からの上記音声データは、イコライザ（ＥＱ１）７→イコライザ（ＥＱ２）８→ラウドネス回路９→電子ＶＯＬ（ボリューム）１０→パワーアンプ１１を経て、スピーカ１２より、音楽あるいは音声としてユーザに提供される。
【０１１０】
なお本図中、ブロック２０の部分はＤＳＰ（Ｄｉｇｉｔａｌ  Ｓｉｇｎａｌ  Ｐｒｏｃｅｓｓｏｒ）により一体に形成されるのが一般的である。したがってこのＤＳＰを用いる場合を例にとって説明を続ける。
【０１１１】
図１９は図１８における制御部４の構成例（音量系）を示す図であり、
図２０は図１８における制御部４の構成例（周波数系）を示す図である。
【０１１２】
まず図１９を参照すると、制御部４の音量系において、デコーダ５からの前記制御データにより、再生中の音源の種別を知り、この種別に相当する音量調整値を調整値設定部２１より出力する。この調整値は、例えばステップＳ２３（Ｓ３１でも同じ）に示す「自動音量ＵＰ」において用いられる。
【０１１３】
一方、操作部３からユーザによって指定された音量値（ＶＯＬ値）は、ＶＯＬ値メモリ２２に記憶される。このＶＯＬ値は、例えばステップＳ３２（図３）の「元の音量に戻す」において利用され、またステップＳ４２（図４）の「手動で音量調整」において変更され、ステップＳ４３（図４）において反映される。
【０１１４】
上述した、調整設定部２１からのデータとＶＯＬ値メモリ２２からのデータは、合成部２３にて合成され、さらに電子ＶＯＬ１０に印加されて、所定の音量をスピーカ１２から得る。
【０１１５】
引き続き図１９において、その右下側にはラウドネス制御系が示されている。ここには、ラウドネスパターンテーブル２４（ＲＯＭ）とラウドネス係数設定部２５がある。
【０１１６】
ラウドネス係数設定部２５は、ＤＳＰ２０内のラウドネス回路９相当部分へ与えるべきラウドネス係数を生成する。この生成に際しては、再生中の音源の種別を表す情報と、ラウドネスパターンとが必要である。一般にラウドネスパターンは、低音域と高音域を持ち上げるようなパターンであって、上記テーブル２４には複数種のパターンＰ１，Ｐ２，Ｐ３・・・が用意されている。どのパターンを選択するかは、再生中の音量に従って決定される。このためにＶＯＬ値メモリ２２の値が用いられる。
【０１１７】
最後に図２０（制御部４の周波数系）を説明する。制御部４の周波数系において、ＥＱ元パターンテーブル４５（ＲＯＭ）には、音源の種別（ＡＣ−３，ＤＴＳ，ＣＤ，ＭＤ等）に応じた初期イコライザパターンが格納されている。このテーブル４５から、一旦ＥＱパターンテーブル４６（ＲＡＭ）に全ての初期イコライザパターンを転写する。このように転写するのは、ユーザの好みに応じて操作部３よりそのパターンを調整可能とするためである。これは、例えば図１５や図１６に示すｆ特パターンの変更に利用することができる。
【０１１８】
ＥＱパターンテーブル４６内のいずれのＥＱパターンを選択して読み出すか、は再生中の音源の種別により決定される。この種別が例えばＡＣ−３ならば、ＡＣ−３に対応するＥＱパターンが調整用ＥＱ係数設定部３７に書き込まれ保持される。このＥＱパターンの設定が、例えばステップＳ６３に示す「セリフ帯域のｆ特を引き上げる」操作に相当する。すなわち、セリフ帯域のｆ特を特別に引き上げたＥＱパターンが、図１８のＤＳＰ２０内のイコライザ（ＥＱ２）８相当部分に供給される。ただし図２０においては、そのＥＱ係数が合成部３４を介してＤＳＰ２０に与えられる構成例を示している。
【０１１９】
再生中の音源がモード切換えにより、元のモード、例えばリニアＰＣＭに戻ったときは、上記テーブル３６の中のリニアＰＣＭに相当するＥＱパターンを再び読み出し、調整用ＥＱ係数設定部３７に書き込まれる。元のモードが何であるかは、次のようにしておけば分かる。例えば、ＥＱパターンテーブル３６の各パターン毎にフラグをセットできるようにしておき、モード切換えが生じたときに、他に切換えられるパターン（元のパターン）のフラグに１を立てておく。その切換え後、再び元のパターンに戻るときは、フラグ１になっているパターンを選択すればよい。このときフラグは０にリセットし初期状態に戻す。
【０１２０】
上述した合成部３４では、上記の調整用ＥＱ係数と、マニュアルＥＱ係数設定部３３からのマニュアルＥＱ係数とが合成され、該合成ＥＱ係数がＤＳＰ２０に供給される。
【０１２１】
マニュアルＥＱは、周知のものであり、ユーザの好みに応じてイコライザ特性を変えるためのものである。該ＥＱは図１８のイコライザ（ＥＱ１）７に作用する。
【０１２２】
図２０において、マニュアルＥＱにさらに関係するのは、ＥＱ元パターンテーブル３１（ＲＯＭ）およびＥＱパターンテーブル３２（ＲＡＭ）であるが、これらの機能は前述したＥＱ元パターンテーブル３５およびＥＱパターンテーブル３６と同じである。ただし。各パターンの対象は異なる。例えば、ロック調、ポップス調、クラシック調等で再生するためのパターンである。なおＥＱパターンテーブル３２の値もユーザの好みにより、操作部３を介して微調整ができる。
【０１２３】
かかるマニュアルＥＱ係数の設定によって、例えばステップＳ８２（図８）に示す「手動でＥＱ調整」を行うことができる。
【０１２４】
以上本発明に係る出力レベル調整装置の実際に即した実施例動作を詳細に説明したが、本発明の基本思想を機能ブロックとして表すと以下のとおりである。
【０１２５】
図２１は本発明に係る出力レベル調整装置の原理構成を表すブロック図である。
【０１２６】
各種録音形態によって記録された再生メディアを再生可能なオーディオ再生装置１において、原理構成に基づく出力レベル調整装置５０は、
録音形態種別を判別する判別手段５１と、判別された録音形態種別に応じて、再生すべき音量を可変させる可変手段５２と、を有する。
【０１２７】
図２２は本発明に係る出力レベル調整装置の第１の基本構成を表すブロック図である。
【０１２８】
再生メディアとして少なくともＤＶＤをセット可能なオーディオ再生装置１において、第１の基本構成による出力レベル調整装置５０は、
セットされた再生メディアがＤＶＤか否かを識別する識別手段６１と、セットされた再生メディアがＤＶＤであると識別されたとき、このＤＶＤの音源が、高音量で再生される第１の録音形態または低音量で再生される第２の録音形態のいずれの録音形態による音源か、を判別する音源判別手段６２と、その音源が第２の録音形態による音源であるとき、再生すべき音量を増大させる音量可変手段６３と、を有する。
【０１２９】
また、音量可変手段６３による再生すべき音量の増大の後に、音源が第２の録音形態であるＤＶＤから、それ以外の再生メディアへまたは音源が第１の録音形態であるＤＶＤへ、モード切換えしたとき、そのモード切換え発生前の音量に戻す元音量可変手段６４をさらに有する。
【０１３０】
さらにまた、再生すべき音量を増大させる音量可変手段６３の後に、その音量にさらに微調整を加える微調整手段６５を有し、その後、音源が第２の録音形態であるＤＶＤから、それ以外の再生メディアへまたは音源が第１の録音形態であるＤＶＤへ、モード切換えが発生したとき、上記の音量の微調整分を反映させたまま、そのモード切換え発生前の音量に戻す音量反映可変手段６６を有する。
【０１３１】
また、再生すべき音量を増大させる音量可変手段６３に対し、ＤＶＤがイジェクトされたときに、そのイジェクト発生前の音量に戻す引き戻し手段６７をさらに有する。
【０１３２】
図２３は本発明に係る出力レベル調整装置の第２の基本構成を表すブロック図である。
【０１３３】
再生メディアとして少なくともＤＶＤをセット可能なオーディオ再生装置１において、第２の基本構成による出力レベル調整装置５０は、
セットされた再生メディアがＤＶＤか否かを識別する識別手段７１と、セットされた再生メディアがＤＶＤであると識別されたとき、そのＤＶＤの音源が、高音量で再生される第１の録音形態または低音量で再生される第２の録音形態のいずれの録音形態による音源か、を判別する判別手段７２と、その音源が第２の録音形態による音源であるとき、再生すべき出力のセリフ帯域での周波数特性を引き上げる音量特性調整を行う引き上げ手段７３と、を有する。
【０１３４】
また、再生すべき出力の音量特性調整後に、音源が第２の録音形態であるＤＶＤから、それ以外の再生メディアへまたは音源が第１の録音形態であるＤＶＤへ、モード切換えしたとき、そのモード切換え前の状態に戻す第１状態可変手段７４をさらに有する。
【０１３５】
さらにまた、再生すべき出力の音量特性調整後に、その再生すべき出力の音量特性調整に微調整を加える微調整手段７５を有し、その後、音源が第２の録音形態であるＤＶＤから、それ以外の再生メディアへまたは音源が第１の録音形態であるＤＶＤへ、モード切換えしたとき、周波数特性の微調整分を反映させたまま、そのモード切換え発生前の状態に戻す第２状態可変手段７６を有する。
【０１３６】
また、再生すべき出力の音量特性調整後に、ＤＶＤがイジェクトされたとき、このイジェクト発生前の状態に戻す第３状態可変手段７７をさらに有する。
【０１３７】
さらに、音源が第２の録音形態による音源であるとき、再生すべき音量も増大させる音量特性調整を行う周波数音量可変手段７８を有する。
【０１３８】
ここに、再生すべき出力のセリフ帯域での周波数特性を引き上げると共に再生すべき音量を増大させる周波数音量可変手段７８において、オーバーヘッドを生じない程度に周波数特性を変更すると共にその周波数特性の変更では不足する分だけ音量を増大させるようにする。
【０１３９】
図２４は本発明に係る出力レベル調整装置の第３の基本構成を表すブロック図である。
【０１４０】
再生メディアとして少なくともＤＶＤをセット可能なオーディオ再生装置１において、第３の基本構成による出力レベル調整システム５０は、
セットされた再生メディアがＤＶＤか否かを識別する識別手段８１と、セットされた再生メディアがＤＶＤであると識別されたとき、そのＤＶＤの音源が、高音量で再生される第１の録音形態または低音量で再生される第２の録音形態のいずれの録音形態による音源か、を判別する判別手段８２と、音源が第２の録音形態による音源であるとき、再生すべき出力のセリフ帯域での周波数特性を引き上げる引き上げ手段８３と、上記の周波数特性の最大変化幅を求める算出手段８４と、イコライザのゲインまたはラウドネスのゲインを、上記の最大変化幅分だけ引き下げる引き下げ手段８５と、を有する。
【０１４１】
また、引き下げ手段８５に対し、音源が第２の録音形態であるＤＶＤから、それ以外の再生メディアへまたは音源が第１の録音形態であるＤＶＤへ、モード切換えしたとき、上記のイコライザのゲインまたはラウドネスのゲインを、上記の最大変化幅分だけ引き下げたまま、そのモード切換え発生前の状態に戻す状態可変手段８６をさらに有する。
【図面の簡単な説明】
【０１４２】
【図１】本発明に係る出力レベル調整動作の基本ステップを示すフローチャートである。
【図２】本発明に係る第１の実施形態を示すフローチャートである。
【図３】本発明に係る第２の実施形態を示すフローチャートである。
【図４】本発明に係る第３の実施形態を示すフローチャートである。
【図５】本発明に係る第４の実施形態を示すフローチャートである。
【図６】本発明に係る第５の実施形態を示すフローチャートである。
【図７】本発明に係る第６の実施形態を示すフローチャートである。
【図８】本発明に係る第７の実施形態を示すフローチャートである。
【図９】本発明に係る第８の実施形態を示すフローチャートである。
【図１０】本発明に係る第９の実施形態を示すフローチャートである。
【図１１】図１０のステップ中ステップＳ１０３についての好適な実現例を示すフローチャートである。
【図１２】本発明に係る第１０の実施形態を示すフローチャートである。
【図１３】本発明に係る第１１の実施形態を示すフローチャートである。
【図１４】本発明に係る第１２の実施形態を実例をもって表す図である。
【図１５】本発明に係る第１３の実施形態を実例をもって表す図（その１）である。
【図１６】本発明に係る第１３の実施形態を実例をもって表す図（その２）である。
【図１７】本発明に係る変形実施形態を実例を示すフローチャートである。
【図１８】本発明を実施可能なオーディオ再生装置の構成例を示す図である。
【図１９】図１８における制御部４の構成例（音量系）を示す図である。
【図２０】図１８における制御部４の構成例（周波数系）を示す図である。
【図２１】本発明に係る出力レベル調整装置の原理構成を表すブロック図である。
【図２２】本発明に係る出力レベル調整装置の第１の基本構成を表すブロック図である。
【図２３】本発明に係る出力レベル調整装置の第２の基本構成を表すブロック図である。
【図２４】本発明に係る出力レベル調整装置の第３の基本構成を表すブロック図である。
【符号の説明】
【０１４３】
１    オーディオ再生装置
３    操作部
４    制御部
５    デコーダ
７    イコライザ（ＥＱ１）
８    イコライザ（ＥＱ２）
９    ラウドネス回路
１０    電子ＶＯＬ
２０    ＤＳＰ
２１    調整値設定部
２２    ＶＯＬ値メモリ
２３    合成部
２４    ラウドネスパターンテーブル
２５    ラウドネス係数設定部
３２    ＥＱパターンテーブル（手動）
３３    マニュアルＥＱ係数設定部
３４    合成部
３６    ＥＱパターンテーブル（自動）
３７    調整用ＥＱ係数設定部
５０    出力レベル調整装置
５１    判別手段
５２    可変手段
６１    識別手段
６２    音源判別手段
６３    音量可変手段
６４    元音量可変手段
６５    微調整手段
６６    音量反映可変手段
６７    引き戻し手段
７１    識別手段
７２    判別手段
７３    引き上げ手段
７４    第１状態可変手段
７５    微調整手段
７６    第２状態可変手段
７７    第３状態可変手段
７８    周波数音量可変手段
８１    識別手段
８２    判別手段
８３    引き上げ手段
８４    算出手段
８５    引き下げ手段
８６    状態可変手段
【図１】
2005129221.tif 000003
【図２】
2005129221.tif 000004
【図３】
2005129221.tif 000005
【図４】
2005129221.tif 000006
【図５】
2005129221.tif 000007
【図６】
2005129221.tif 000008
【図７】
2005129221.tif 000009
【図８】
2005129221.tif 000010
【図９】
2005129221.tif 000011
【図１０】
2005129221.tif 000012
【図１１】
2005129221.tif 000013
【図１２】
2005129221.tif 000014
【図１３】
2005129221.tif 000015
【図１４】
2005129221.tif 000016
【図１５】
2005129221.tif 000017
【図１６】
2005129221.tif 000018
【図１７】
2005129221.tif 000019
【図１８】
2005129221.tif 000020
【図１９】
2005129221.tif 000021
【図２０】
2005129221.tif 000022
【図２１】
2005129221.tif 000023
【図２２】
2005129221.tif 000024
【図２３】
2005129221.tif 000025
【図２４】
2005129221.tif 000026